(57)【要約】【課題】歪ゲージの貼付位置精度を向上し得、且つ複数箇所への歪ゲージの貼付けを同時に行うことができ、作業の省力化並びに効率向上を図り得る歪ゲージ貼付方法及び装置を提供する。【解決手段】歪ゲージ２が貼り付けられた被測定部材としてのターボポンプの羽根１の両面を固定治具３により挟持して保持する。【選択図】　　　　図２
2004028634.tif 000002
【特許請求の範囲】
【請求項１】
被測定部材の表面に歪ゲージを貼り付け、該歪ゲージが貼り付けられた被測定部材の両面を固定治具により挟持し、歪ゲージが被測定部材の表面から脱落しないようにした状態で乾燥させ、被測定部材の表面に歪ゲージを固着させることを特徴とする歪ゲージ貼付方法。
【請求項２】
歪ゲージが貼り付けられた被測定部材の両面を挟持して保持可能な固定治具を備えたことを特徴とする歪ゲージ貼付装置。
【請求項３】
固定治具を、
被測定部材の両面を挟持する挟持板と、
該挟持板の被測定部材表面への当接面に固着され且つ被測定部材の表面に倣う密着層と、
該密着層を介して挟持板を被測定部材の両面に密着させた状態に保持するための締付部材と
から構成した請求項２記載の歪ゲージ貼付装置。
【発明の詳細な説明】
【０００１】
【発明の属する技術分野】
本発明は、歪ゲージ貼付方法及び装置に関するものである。
【０００２】
【従来の技術】
一般に、歪ゲージは、ワイヤを引っ張ると長さと断面積が変化し、電気抵抗が変化することを利用するものであって、台紙（或いはプラスチック）の上にワイヤを折り曲げて貼り付けてなる構成を有しており、歪を測定しようとする被測定部材の表面に接着剤を用いて歪ゲージを貼り付けることにより、該歪ゲージのワイヤが被測定部材と同じ歪を受け、該ワイヤの電気的変化量から被測定部材の歪を計測するようになっている。
【０００３】
ところで、従来の場合、歪を測定しようとする被測定部材の表面に歪ゲージを貼り付ける際には、先ず、歪ゲージに接着剤を塗布し、該接着剤を塗布した歪ゲージを被測定部材の表面所要箇所に押し付け、接着剤がある程度乾くまで人が手で押えたまま保持した後、被測定部材を乾燥炉に入れて乾燥させ、被測定部材の表面に歪ゲージを固着させるようにしていた。
【０００４】
【発明が解決しようとする課題】
しかしながら、前述の如く、接着剤がある程度乾くまで人が手で歪ゲージを押えたまま保持するのでは、歪ゲージを貼り付ける位置がずれてしまう虞がある一方、歪ゲージを複数箇所に同時に貼り付けることは困難であり、非常に手間と時間がかかるという欠点を有していた。
【０００５】
本発明は、斯かる実情に鑑み、歪ゲージの貼付位置精度を向上し得、且つ複数箇所への歪ゲージの貼付けを同時に行うことができ、作業の省力化並びに効率向上を図り得る歪ゲージ貼付方法及び装置を提供しようとするものである。
【０００６】
【課題を解決するための手段】
本発明は、被測定部材の表面に歪ゲージを貼り付け、該歪ゲージが貼り付けられた被測定部材の両面を固定治具により挟持し、歪ゲージが被測定部材の表面から脱落しないようにした状態で乾燥させ、被測定部材の表面に歪ゲージを固着させることを特徴とする歪ゲージ貼付方法にかかるものである。
【０００７】
又、本発明は、歪ゲージが貼り付けられた被測定部材の両面を挟持して保持可能な固定治具を備えたことを特徴とする歪ゲージ貼付装置にかかるものである。
【０００８】
上記手段によれば、以下のような作用が得られる。
【０００９】
被測定部材の表面に歪ゲージを貼り付け、該歪ゲージが貼り付けられた被測定部材の両面を固定治具により挟持し、歪ゲージが被測定部材の表面から脱落しないようにした状態で乾燥させ、被測定部材の表面に歪ゲージを固着させると、従来のように、接着剤がある程度乾くまで人が手で歪ゲージを押えたまま保持しなくて済み、歪ゲージを貼り付ける位置がずれてしまう虞がなくなる一方、歪ゲージを複数箇所に同時に貼り付けることも可能となり、手間と時間がかからなくなる。
【００１０】
前記歪ゲージ貼付装置においては、固定治具を、
被測定部材の両面を挟持する挟持板と、
該挟持板の被測定部材表面への当接面に固着され且つ被測定部材の表面に倣う密着層と、
該密着層を介して挟持板を被測定部材の両面に密着させた状態に保持するための締付部材と
から構成することができる。
【００１１】
【発明の実施の形態】
以下、本発明の実施の形態を図示例と共に説明する。
【００１２】
図１〜図３は本発明を実施する形態の一例であって、被測定部材としてターボポンプの羽根１の表面所要箇所に歪ゲージ２を貼り付け、流体振動に伴う歪を計測する場合の例を示したものであり、図１に示すように歪ゲージ２が貼り付けられた被測定部材としてのターボポンプの羽根１の両面を、図２及び図３に示す如く、固定治具３により挟持して保持するようにしたものである。
【００１３】
前記固定治具３は、羽根１の両面を挟持する金属製の挟持板４と、該挟持板４の羽根１表面への当接面に固着され且つ羽根１の表面に倣う密着層５と、該密着層５を介して挟持板４を羽根１の両面に密着させた状態に保持するためのボルト・ナット等の締付部材６とを備えてなる構成を有している。
【００１４】
前記密着層５としては、例えば、粘土を用いることができ、この場合には、粘土が歪ゲージ２に付着することを防ぐために、図２に示す如く、ビニールやテフロン（登録商標）等の薄いシート７で歪ゲージ２を覆うようにする。尚、前記密着層５としては、粘土以外にも、例えば、ウレタン樹脂等を使用することもでき、この場合には、図２に示すようなシート７で歪ゲージ２を覆う必要はない。
【００１５】
次に、上記図示例の作用を説明する。
【００１６】
先ず、図１に示す如く、被測定部材としてのターボポンプの羽根１の表面に歪ゲージ２を接着剤を用いて貼り付け、該歪ゲージ２が貼り付けられた羽根１の両面を、図２及び図３に示す如く、固定治具３の挟持板４により密着層５を介して挟持し且つ締付部材６で締め付け、歪ゲージ２が羽根１の表面から脱落しないようにした状態で、羽根１を図示していない乾燥炉に入れて乾燥させ、羽根１の表面に歪ゲージ２を固着させる。尚、ターボポンプの羽根１の場合には、歪ゲージ２を固着させた後、更に、歪ゲージ２を薄い金属板（図示せず）で覆ってその周囲を溶接し、コーティング剤を塗布する。
【００１７】
この結果、従来のように、接着剤がある程度乾くまで人が手で歪ゲージ２を押えたまま保持しなくて済み、歪ゲージ２を貼り付ける位置がずれてしまう虞がなくなる一方、歪ゲージ２を複数箇所に同時に貼り付けることも可能となり、手間と時間がかからなくなる。
【００１８】
こうして、歪ゲージ２の貼付位置精度を向上し得、且つ複数箇所への歪ゲージ２の貼付けを同時に行うことができ、作業の省力化並びに効率向上を図り得る。
【００１９】
尚、本発明の歪ゲージ貼付方法及び装置は、上述の図示例にのみ限定されるものではなく、本発明の要旨を逸脱しない範囲内において種々変更を加え得ることは勿論である。
【００２０】
【発明の効果】
以上、説明したように本発明の歪ゲージ貼付方法及び装置によれば、歪ゲージの貼付位置精度を向上し得、且つ複数箇所への歪ゲージの貼付けを同時に行うことができ、作業の省力化並びに効率向上を図り得るという優れた効果を奏し得る。
【図面の簡単な説明】
【図１】本発明を実施する形態の一例の側面図である。
【図２】本発明を実施する形態の一例の側断面図である。
【図３】本発明を実施する形態の一例の平面図である。
【符号の説明】
１　　羽根（被測定部材）
２　　歪ゲージ
３　　固定治具
４　　挟持板
５　　密着層
６　　締付部材
【図１】
2004028634.tif 000003
【図２】
2004028634.tif 000004
【図３】
2004028634.tif 000005